(57)【要約】【課題】信頼性の高いユーザ情報に基づいたマッチングを行うこと。【解決手段】ステータス照合システムは、複数のリスト端末１，１・・・との間で互いに通信を行う。ステータス取得部５１は、所定のユーザの行動実績となる実績ステータスを取得する。マッチング条件設定部５３は、ステータス取得部５１により取得された実績ステータスをマッチングのためのステータスをマッチングの条件として設定する。通信制御部５４は、通信可能な他のリスト端末１を特定する。マッチング処理部５５は、通信制御部５４により特定された他のリスト端末１のうち、マッチング条件設定部５３により設定された前記条件に合致する他のリスト端末１を判定する。出力制御部５７は、マッチング処理部５５により判定された判定結果を出力するように出力部１９を制御する。【選択図】図３
2018136996.tif 000002
【特許請求の範囲】
【請求項１】
所定のユーザの走行実績を取得する取得手段と、
前記取得手段により取得された前記ユーザの走行実績をマッチングの条件として設定す
る設定手段と、
通信可能な他の情報処理装置を特定する特定手段と、
前記特定手段により特定された他の情報処理装置が、前記設定手段により設定された前
記条件に合致するか否かを判定する判定手段と、
前記判定手段により判定された判定結果を出力するように出力手段を制御する出力制御
手段と、
を備えることを特徴とする情報処理装置。
【請求項２】
前記情報処理装置の動作状態を検出可能な検出手段を備え、
前記取得手段は、前記検出手段により検出された当該情報処理装置の所定の動作状態の
履歴を前記ユーザの走行実績として取得する、
ことを特徴とする請求項１に記載の情報処理装置。
【請求項３】
前記検出手段は、ランニング時に当該情報処理装置を携行した際の当該情報処理装置の
動作状態を検出する、
ことを特徴とする請求項２に記載の情報処理装置。
【請求項４】
前記判定手段は、他の情報処理装置での条件が当該情報処理装置の条件と合致する場合
にのみ、合致する他の情報処理装置とする判定結果とする、
ことを特徴とする請求項１乃至３のいずれか１項に記載の情報処理装置。
【請求項５】
前記出力制御手段は、前記判定手段により判定された判定結果にユーザのプロフィール
を含めて出力するように出力手段を制御する、
ことを特徴とする請求項１乃至４のいずれか１項に記載の情報処理装置。
【請求項６】
前記出力制御手段は、前記合致する他の情報処理装置が通信可能な範囲にいる場合に、
前記判定手段により判定された判定結果を出力するように前記出力手段を制御する、
ことを特徴とする請求項１乃至５のいずれか１項に記載の情報処理装置。
【請求項７】
前記情報処理装置は、リスト端末により構成される、
ことを特徴とする請求項１乃至６のいずれか１項に記載の情報処理装置。
【請求項８】
前記設定手段は、前記ユーザにより手動で入力される手動設定情報をさらに前記マッチ
ングの条件として設定する、
ことを特徴とする請求項１乃至７のいずれか１項に記載の情報処理装置。
【請求項９】
前記設定手段は、前記取得手段により取得された前記ユーザの走行実績から抽出された
条件をマッチングの条件として設定する、
ことを特徴とする請求項１乃至８のいずれか１項に記載の情報処理装置。
【請求項１０】
複数の情報処理装置との間で互いに通信を行う通信システムにおいて、
前記情報処理装置の各々は、
所定のユーザの走行実績を取得する取得手段と、
前記取得手段により取得された前記ユーザの走行実績をマッチングの条件として設定す
る設定手段と、
通信可能な他の情報処理装置を特定する特定手段と、
前記特定手段により特定された他の情報処理装置が、前記設定手段により設定された前
記条件に合致するか否かを判定する判定手段と、
前記判定手段により判定された判定結果を出力するように出力手段を制御する出力制御
手段と、
を備えることを特徴とする通信システム。
【請求項１１】
複数の情報処理装置との間で互いに通信を行う通信システムで実行される通信方法にお
いて、
所定のユーザの走行実績を取得する取得ステップと、
前記取得ステップにより取得された前記ユーザの走行実績をマッチングの条件として設
定する設定ステップと、
通信可能な他の情報処理装置を特定する特定ステップと、
前記特定ステップにより特定された他の情報処理装置が、前記設定ステップにより設定
された前記条件に合致するか否かを判定する判定ステップと、
前記判定ステップにより判定された判定結果を出力するように出力ステップを制御する
出力制御ステップと、
を含むことを特徴とする通信方法。
【請求項１２】
情報処理装置で実行される情報処理の制御方法であって、
所定のユーザの走行実績を取得する取得ステップと、
前記取得ステップにより取得された前記ユーザの走行実績をマッチングの条件として設
定する設定ステップと、
通信可能な他の情報処理装置を特定する特定ステップと、
前記特定ステップにより特定された他の情報処理装置が、前記設定ステップにより設定
された前記条件に合致するか否かを判定する判定ステップと、
前記判定ステップにより判定された判定結果を出力するように前記情報処理装置を制御
する出力制御ステップと、
を含むことを特徴とする情報処理装置の制御方法。
【請求項１３】
コンピュータに、
所定のユーザの走行実績を取得する取得機能と、
前記取得機能により取得された前記ユーザの走行実績をマッチングの条件として設定す
る設定機能と、
通信可能な他の情報処理装置を特定する特定機能と、
前記特定機能により特定された他の情報処理装置が、前記設定機能により設定された前
記条件に合致するか否かを判定する判定機能と、
前記判定機能により判定された判定結果を出力するように前記情報処理装置を制御する
出力制御機能と、
を実現させるためのプログラム。
【発明の詳細な説明】
【技術分野】
【０００１】
本発明は、通信システム、情報処理装置、通信方法、情報処理装置の制御方法及びプロ
グラムに関する。
【背景技術】
【０００２】
従来より、利用者間で、メッセージ等をやり取りするサービスが提供されている。このようなサービスでは、利用者であるユーザの希望に添う相手を今まで接点のなかった不特定多数の利用者の中から探し出して紹介するようなマッチングのサービスも提供している。
このようなサービスに利用できる技術としては、例えば、特許文献１に記載の技術が知られている。特許文献１に記載の技術では、不特定多数の端末ユーザの中から諸条件に見合う相手を容易に探し出すことができる。また、条件に見合った相手を探す際には、自己の氏名やメールアドレス等の個人情報を、探す先である不特定多数の端末ユーザに公開しないように構成される。
【先行技術文献】
【特許文献】
【０００３】
【特許文献１】特開平１１−１２６１６３号公報
【発明の概要】
【発明が解決しようとする課題】
【０００４】
上述したようなサービスにおいては、サービス上の世界を非現実的なものとして、実際のユーザとは異なる情報を開示してやり取りを行う利用方法も少なくないが、近年では、実際のユーザの情報を開示してやり取りを行って利用したいという要望が強くなってきている。
しかしながら、上述したようなサービスにおいては、ユーザの情報は、ユーザが任意に入力するために、偽称、詐称、成りすまし等が容易であり、ユーザの情報の真偽は、ユーザのモラルや行動規範に頼らざるを得ない。このため、異なるユーザを装ってサービスを利用する者もできており、ユーザの情報の信頼性、ひいては、サービス自体の信頼性も問われるようになってきている。
【０００５】
本発明は、このような状況に鑑みてなされたものであり、信頼性の高いユーザ情報に基づいたマッチングを行うことができる通信システム、情報処理装置、通信方法、情報処理装置の制御方法及びプログラムを提供することを目的とする。 
【課題を解決するための手段】
【０００６】
上記目的を達成するため、本発明の一態様の情報処理装置は、所定のユーザの走行実績
を取得する取得手段と、前記取得手段により取得された前記ユーザの走行実績をマッチン
グの条件として設定する設定手段と、通信可能な他の情報処理装置を特定する特定手段と
、前記特定手段により特定された他の情報処理装置が、前記設定手段により設定された前
記条件に合致するか否かを判定する判定手段と、前記判定手段により判定された判定結果
を出力するように出力手段を制御する出力制御手段と、を備えることを特徴とする。
【発明の効果】
【０００７】
本発明によれば、信頼性の高いユーザ情報に基づいたマッチングを行うことができる。
【図面の簡単な説明】
【０００８】
【図１】ステータス照合システムのシステム構成と概要を示す図である。
【図２】本発明の一実施形態の情報処理装置に係るリスト端末のハードウェアの構成を示すブロック図である。
【図３】図１のリスト端末の機能的構成のうち、ステータス照合処理を実行するための機能的構成を示す機能ブロック図である。
【図４】図３の機能的構成を有する図２のリスト端末が実行するステータス照合処理の流れを説明するフローチャートである。
【図５】ステータス照合処理のうち、マッチング処理の流れを説明するフローチャートである。
【発明を実施するための形態】
【０００９】
以下、本発明の実施形態について、図面を用いて説明する。
【００１０】
図１は、ステータス照合システムのシステム構成と概要を示す図である。なお、以下において、各リスト端末のハードウェア構成を言い分ける場合には、符号の後に、アルファベットを付して説明を行うものとする。
ステータス照合システムＳは、図１に示すように、複数のリスト端末１Ａ・・・１Ｎを備える。
リスト端末１は、例えば、ＮＦＣ（Ｎｅａｒ  Ｆｉｅｌｄ  Ｃｏｍｍｕｎｉｃａｔｉｏｎ）、Ｂｌｕｅｔｏｏｔｈ（ブルートゥース）（登録商標）等の近距離無線通信規格で、リスト端末１，１との間でデータのやり取りが可能に構成される。
【００１１】
このように構成されるステータス照合システムＳでは、複数のリスト端末１Ａ・・・１Ｎ間で、双方向の通信を行い、双方のリスト端末１で設定した条件のマッチングを行う。そして、双方の設定した条件が合致した場合には、条件が双方合致している旨を示す情報を表示する。条件が双方合致している旨を示す情報は、本実施形態においては、合致した先方のスタータスからなるマッチング結果とする情報である。ユーザは、表示されたマッチング結果を見て、メッセージを送信する等のその後の処理を行う。
【００１２】
具体的には、リスト端末１Ａと、リスト端末１Ｂとの間で、条件が合致した場合に、リスト端末１Ｂの所有者Ｂ氏の［ステータス］（性別・年齢・趣味・ランニング実績等）をマッチング結果として表示する。
また、ステータス照合システムＳでは、設定可能な条件として、ユーザが任意に入力したステータス（以下、「入力ステータス」という。）と、ユーザが任意に入力を行えず、行動実績から自動的に入力されるステータス（以下、「実績ステータス」という。）とでマッチングを行う。入力ステータスは、例えば、性別・年齢・趣味等のステータスであり、実績ステータスは、ランニング実績等のステータスである。
したがって、ステータス照合システムＳでは、本人以外が入力する実績ステータスをマッチングの条件とすることで、虚偽や偽装等の事実と異なったステータスとならないために、マッチングの信頼性が高まったものとなる。
【００１３】
図２は、本発明の一実施形態の情報処理装置に係るリスト端末１のハードウェアの構成を示すブロック図である。
リスト端末１は、例えばスマートウォッチ等の時計装置として構成される。
【００１４】
リスト端末１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、ＧＰＳ部１６と、センサ部１７と、入力部１８と、出力部１９と、記憶部２０と、通信部２１と、ドライブ２２と、を備えている。
【００１５】
ＣＰＵ１１は、ＲＯＭ１２に記録されているプログラム、又は、記憶部２０からＲＡＭ１３にロードされたプログラムに従って各種の処理を実行する。
【００１６】
ＲＡＭ１３には、ＣＰＵ１１が各種の処理を実行する上において必要なデータ等も適宜記憶される。
【００１７】
ＣＰＵ１１、ＲＯＭ１２及びＲＡＭ１３は、バス１４を介して相互に接続されている。このバス１４にはまた、入出力インターフェース１５も接続されている。入出力インターフェース１５には、ＧＰＳ部１６、センサ部１７、入力部１８、出力部１９、記憶部２０、通信部２１及びドライブ２２が接続されている。
【００１８】
ＧＰＳ部１６は、アンテナを含み複数のＧＰＳ（Ｇｌｏｂａｌ  Ｐｏｓｉｔｉｏｎｉｎｇ  Ｓｙｓｔｅｍ）用衛星からのＧＰＳ信号を受信して、リスト端末１の位置情報を取得する。
センサ部１７は、ＸＹＺ軸方向のリスト端末１の移動やリスト端末１の振動を測定可能に構成される。
【００１９】
入力部１８は、各種釦等で構成され、ユーザの指示操作に応じて各種情報を入力する。
出力部１９は、ディスプレイやスピーカ等で構成され、画像や音声を出力する。
記憶部２０は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２１は、インターネットを含むネットワークを介して他の装置（図示せず）との間で行う通信を制御する。
【００２０】
ドライブ２２には、磁気ディスク、光ディスク、光磁気ディスク、或いは半導体メモリ等よりなる、リムーバブルメディア３１が適宜装着される。ドライブ２２によってリムーバブルメディア３１から読み出されたプログラムは、必要に応じて記憶部２０にインストールされる。また、リムーバブルメディア３１は、記憶部２０に記憶されている画像のデータ等の各種データも、記憶部２０と同様に記憶することができる。
【００２１】
図３は、このような図２のリスト端末１の機能的構成のうち、ステータス照合処理を実行するための機能的構成を示す機能ブロック図である。
ステータス照合処理とは、各リスト端末１，１・・・で、通信可能なリスト端末１を探索し、設定されたマッチング条件に基づいて、マッチングを行い、条件が合致した場合に、マッチング結果を表示するまでの処理をいう。
【００２２】
ステータス照合処理は、図３に示すように、ＣＰＵ１１において、ステータス取得部５１と、ステータス設定部５２と、マッチング条件設定部５３と、通信制御部５４と、マッチング処理部５５と、記憶制御部５６と、出力制御部５７と、が機能する。
【００２３】
記憶部２０の一領域には、入力ステータス情報記憶部７１と、実績ステータス情報記憶部７２と、登録ステータス情報記憶部７３と、が設定される。
【００２４】
入力ステータス情報記憶部７１には、入力部１８を介して、ユーザが任意に設定した入力ステータスの情報が記憶される。入力ステータスは、本実施形態においては、例えば、年齢、性別、趣味、年収等のステータスである。
【００２５】
実績ステータス情報記憶部７２には、ＧＰＳ部１６及びセンサ部１７から取得したユーザが任意に設定できない実績ステータスの情報が記憶される。実績ステータスは、本実施形態においては、例えば、ランニングのライフログ情報から取得した月間の走行距離等のステータスである。
【００２６】
登録ステータス情報記憶部７３は、登録された条件が合致したリスト端末１のステータス（以下、「登録ステータス」という。）が記憶される。
【００２７】
ステータス取得部５１は、ステータスを取得する。詳細には、ステータス取得部５１は、入力部１８を介して、ユーザが任意に設定した入力ステータスと、ＧＰＳ部１６及びセンサ部１７から取得したユーザが任意に設定できない実績ステータスと、を取得する。
また、ステータス取得部５１は、入力ステータスを入力ステータス情報記憶部７１に記憶させ、実績ステータスを実績ステータス情報記憶部７２に記憶させる。
【００２８】
ステータス設定部５２は、マッチングの対象となるステータスを設定する。詳細には、ステータス設定部５２は、入力ステータス情報記憶部７１に記憶される入力ステータスと、実績ステータス情報記憶部７２に記憶される実績ステータスから、マッチング対象とするステータスとして設定する。
【００２９】
マッチング条件設定部５３は、ステータス設定部５２は、マッチングの対象となるステータスを設定する。詳細には、ステータス設定部５２は、入力ステータス情報記憶部７１に記憶される入力部１８を介して、ユーザが任意に設定した入力ステータスと、実績ステータス情報記憶部７２に記憶されるセンサ部１７から取得したユーザが任意に設定できない実績ステータスと、を設定する。
マッチング条件設定部５３は、本実施形態においては、年齢、性別、趣味、年収を入力ステータスとし、ランニング実績を実績ステータスとしてステータスを設定する。
【００３０】
通信制御部５４は、リスト端末１，１間で行われる通信部２１での通信を制御する。
また、通信制御部５４は、やり取り可能な近距離のリスト端末１を通信部２１を介して、他のリスト端末１の探索をし、探索の結果、マッチング対象となる他のリスト端末１があるか否かを判定する。また、通信制御部５４は、マッチング対象となる他のリスト端末１に対して、設定されたステータスを送信し、他のリスト端末１からステータスを受信するように通信部２１を制御する。また、通信制御部５４は、ステータス登録通知を合致した他のリスト端末１に送信するように通信部２１を制御する。さらに、通信制御部５４は、他のリスト端末１から送信されたステータス登録通知を受信したか否かを判定する。
【００３１】
マッチング処理部５５は、マッチング処理を実行する。
「マッチング処理」とは、他のリスト端末１から送信されたステータスをマッチング条件に基づいて、マッチングし、マッチング結果を判定するまでの処理である。
具体的には、マッチング処理部５５は、マッチング対象となった他のリスト端末１の入力ステータス及び実績ステータスの合致を判定する。また、マッチング処理部５５は、入力ステータスにおける合致結果と、実績ステータスにおける合致結果を判定する。
【００３２】
記憶制御部５６は、合致した他のリスト端末１のステータスを登録ステータスとして記憶させるように登録ステータス情報記憶部７３を制御する。
【００３３】
出力制御部５７は、マッチング結果を表示出力するように出力部１９を制御する。具体的には、出力制御部５７は、マッチング結果として、登録ステータス情報記憶部７３に記憶される登録ステータスをメッセージに含めて表示出力するように出力部１９を制御する。
【００３４】
図４は、図３の機能的構成を有する図２のリスト端末１が実行するステータス照合処理の流れを説明するフローチャートである。
ステータス照合処理は、ユーザによる入力部１８へのステータス照合処理の操作により開始される。
【００３５】
ステップＳ１１において、ステータス取得部５１は、ステータスを取得する。詳細には、ステータス取得部５１は、入力部１８を介して、ユーザが任意に設定した入力ステータスと、ＧＰＳ部１６及びセンサ部１７から取得したユーザが任意に設定できない実績ステータスと、を取得する。本実施形態においては、年齢、性別、趣味、年収を入力ステータスとし、ランニング実績を実績ステータスとする。
その後、ステータス取得部５１は、入力ステータスを入力ステータス情報記憶部７１に記憶させ、実績ステータスを実績ステータス情報記憶部７２に記憶させる。
【００３６】
ステップＳ１２において、ステータス設定部５２は、マッチングの対象となるステータスを設定する。詳細には、ステータス設定部５２は、入力ステータス情報記憶部７１に記憶される入力ステータスと、実績ステータス情報記憶部７２に記憶される実績ステータスから、マッチングの対象とするステータスを設定する。
本実施形態においては、ステータス設定部５２は、マッチングの対象とするステータスとして、年齢、性別、趣味、年収、ランニング実績を設定する。
【００３７】
ステップＳ１３において、マッチング条件設定部５３は、マッチング対象となるリスト端末１に設定されるステータスのうち、マッチングの対象とするステータスを条件として設定する。さらに、マッチング条件設定部５３は、条件と設定したステータスにおいても具体的にどういう内容のステータスとするかを条件として設定する。
具体的には、マッチング条件設定部５３は、年齢、性別、趣味、年収の入力ステータスと、ランニング実績の実績ステータスがあった場合、年齢（例えば、２０歳以上）、性別（例えば、女性のみ）、趣味（例えば、読書鑑賞）、年収（例えば、１０００万以上）、ランニング実績（例えば、走行距離が月間３００ｋｍ以上）をマッチングの条件とする。
【００３８】
ステップＳ１４において、通信制御部５４は、近距離にいる他のリスト端末１の探索をする。即ち、通信制御部５４は、やり取り可能な近距離の他のリスト端末１を、通信部２１を介して探索する。
【００３９】
ステップＳ１５において、通信制御部５４は、探索の結果、マッチング対象となる他のリスト端末１があるか否かを判定する。
マッチング対象がない場合には、ステップＳ１５においてＮＯと判定されて、処理はステップＳ１４に戻る。
マッチング対象がある場合には、ステップＳ１５においてＹＥＳと判定されて、処理はステップＳ１６に進む。
【００４０】
ステップＳ１６において、通信制御部５４は、ステータスを送受信する。即ち、通信制御部５４は、マッチング対象となる他のリスト端末１に対して、設定されたステータスを送信し、他のリスト端末１からステータスを受信するように通信部２１を制御する。
【００４１】
ステップＳ１７において、マッチング処理部５５は、マッチング処理を実行する。即ち、マッチング処理部５５は、他のリスト端末１から送信されたステータスをマッチング条件に基づいて、マッチングし、マッチング結果を判定する。マッチング処理の詳細な流れについては後述する。
【００４２】
ステップＳ１８において、マッチング処理部５５は、判定されたマッチング結果において、ステータスが全て合致しているか否かを判定する。
ステータスが全て合致していない場合には、ステップＳ１８においてＮＯと判定されて、処理はステップＳ１４に戻る。
ステータスが全て合致している場合には、ステップＳ１８においてＹＥＳと判定されて、処理はステップＳ１９に進む。
【００４３】
ステップＳ１９において、記憶制御部５６は、合致した他のリスト端末１のステータスを登録ステータスとして記憶させるように登録ステータス情報記憶部７３を制御する。
【００４４】
ステップＳ２０において、通信制御部５４は、ステータス登録通知を合致した他のリスト端末１に送信するように通信部２１を制御する。
【００４５】
ステップＳ２１において、通信制御部５４は、他のリスト端末１から送信されたステータス登録通知を受信したか否かを判定する。
ステータス登録通知を受信しなかった場合には、ステップＳ２１においてＮＯと判定されて、処理はステップＳ１４に戻る。
ステータス登録通知を受信した場合には、ステップＳ２１においてＹＥＳと判定されて、処理はステップＳ２２に戻る。
【００４６】
ステップＳ２２において、出力制御部５７は、登録ステータス情報記憶部７３に記憶された登録ステータスを含めたメッセージに含めてマッチング結果として表示出力させるように出力部１９を制御する。具体的には、年齢（例えば、２０歳以上）、性別（例えば、女性のみ）、趣味（例えば、読書鑑賞）、年収（例えば、１０００万以上）、ランニング実績（例えば、走行距離が月間３００ｋｍ以上）を満たしたユーザの情報を含めたメッセージが表示出力される。
ユーザは、例えば、街中での買い物中、電車内や空港内、旅行先等のランニング走行中でないような時や場所において、暇ができたときや暇をもてあましているとき等に、所望の条件で話が合いそうな話し相手や同好の士を見つけることができる。
その後、マッチング照合処理は終了する。
なお、相手側にもステータスを含めたメッセージが表示されることとなるが、表示出力されるステータスは、表示用に加工されたプロフィールとすることができる。この場合、ユーザは事前に表示用のプロフィールをステータスから作成しておくことができる。また、メッセージの表示出力は、互いに条件が合致した場合であって、さらに、該当するリスト端末１が通信可能な状態（例えば、近距離通信の場合は通信可能な範囲内、ネットワーク通信の場合はネットワーク上にいる状態、即ち、オンライン）の場合にのみ、又は積極的に行うように構成することができる。
【００４７】
図５は、ステータス照合処理のうち、マッチング処理の流れを説明するフローチャートである。
【００４８】
ステップＳ４１において、マッチング処理部５５は、マッチング対象となった他のリスト端末１の入力ステータスが合致するか否かを判定する。
入力ステータスが合致しない場合には、ステップＳ４１においてＮＯと判定されて、処理はステップＳ４３に進む。ステップＳ４３の処理は後述する。
入力ステータスが合致した場合には、ステップＳ４１においてＹＥＳと判定されて、処理はステップＳ４２に進む。
【００４９】
ステップＳ４２において、マッチング処理部５５は、マッチング対象となった他のリスト端末１の実績ステータスが合致するか否かを判定する。
実績ステータスが合致しない場合には、ステップＳ４２においてＮＯと判定されて、処理はステップＳ４３に進む。
実績ステータスが合致した場合には、ステップＳ４２においてＹＥＳと判定されて、処理はステップＳ４３に進む。
【００５０】
ステップＳ４３において、マッチング処理部５５は、マッチングを判定する。即ち、マッチング処理部５５は、入力ステータスにおける合致結果と、実績ステータスにおける合致結果を判定する。その後、マッチング処理は終了する。
したがって、ステータス照合システムＳにおいては、信頼性の高いマッチングのサービスを提供することができる。
【００５１】
以上のように構成されるステータス照合システムＳは、複数のリスト端末１，１・・・との間で互いに通信を行う。
ステータス照合システムＳを構成するリスト端末１の各々は、ステータス取得部５１と、ステータス設定部５２と、マッチング条件設定部５３と、通信制御部５４と、マッチング処理部５５と、出力制御部５７と、を備える。
ステータス取得部５１は、所定のユーザの行動実績となる実績ステータスを取得する。
ステータス設定部５２は、ステータス取得部５１により取得された実績ステータスをマッチングの条件として設定する。
通信制御部５４は、通信可能な他のリスト端末１を特定する。
マッチング処理部５５は、通信制御部５４により特定された他のリスト端末１のうち、マッチング条件設定部５３により設定された前記条件に合致する他のリスト端末１を判定する。
出力制御部５７は、マッチング処理部５５により判定された判定結果を出力するように出力部１９を制御する。
これにより、ステータス照合システムＳにおいては、ユーザの行動実績となる実績ステータスをマッチングの条件として設定するために、ユーザによる情報の改変は行えないために、信頼性の高いマッチングを行うことができる。
【００５２】
また、ステータス照合システムＳにおいては、ＧＰＳ部１６及びセンサ部１７を備える。
ＧＰＳ部１６及びセンサ部１７は、リスト端末１の動作状態を検出可能に構成される。
ステータス取得部５１は、ＧＰＳ部１６及びセンサ部１７により検出されたリスト端末１の動作状態の履歴をユーザの行動実績として取得する。詳細には、ＧＰＳ部１６及びセンサ部１７は、ランニング時にリスト端末１を携行した際のリスト端末１の動作状態を検出する。
これにより、ステータス照合システムＳにおいては、ユーザの行動をリスト端末１で検出された状態から特定した情報を用いるために、ユーザによる情報の改変は行えないために、信頼性の高いマッチングを行うことができる。
【００５３】
また、マッチング処理部５５は、他のリスト端末１での条件がリスト端末１の条件と合致する場合にのみ、合致する他のリスト端末１とする判定結果とする。
これにより、ステータス照合システムＳにおいては、ユーザが希望し、他のリスト端末１のユーザが希望する場合にのみ、合致させるように構成するために、友好的なマッチングのみを行うことができる。
【００５４】
出力制御部５７は、マッチング処理部５５により判定された判定結果にユーザのプロフィールを含めて表示出力するように出力部１９を制御する。
これにより、ステータス照合システムＳにおいては、表示出力される判定結果がユーザのプロフィールであるため、ユーザ自身が加工した情報等を相手方に提示することができる。
【００５５】
出力制御部５７は、合致する他のリスト端末１が通信可能な範囲にいる場合に、マッチング処理部５５により判定された判定結果を出力するように出力部１９を制御する。
これにより、ステータス照合システムＳにおいては、例えば、近距離通信で通信可能な場合には、合致したリスト端末１の持ち主が近くにいることになり、また、ネットワークで通信可能な場合には、ネットワークに接続しているとき、即ち、オンライン状態となっていることになる。したがって、例えば、リアルに合致した相手を感じることができたり、メッセージ等を送信する場合には、相手方が当該メッセージを見て返信する可能性が高くなったりする。
【００５６】
ステータス照合システムＳにおいては、複数のリスト端末１，１により構成される。
これによりステータス照合システムＳにおいては、リスト端末１は、常に腕に装着して使用するために、より実際のユーザの行動に即した実績ステータスを取得することができる。
【００５７】
なお、本発明は、上述の実施形態に限定されるものではなく、本発明の目的を達成できる範囲での変形、改良等は本発明に含まれるものである。
【００５８】
上述の実施形態では、人間の生活・行い・体験を、映像・音声・位置情報などのデジタルデータとして記録したライフログとして取得されるランニングの走行実績（例えば、月間の走行距離等）を実績ステータスとしたがこれに限られず、ランニング時又はランニング以外のときの位置情報を利用して、行った場所や走った場所等を実績ステータスとしてもよい。
【００５９】
また、上述の実施形態では、実績ステータスを自機の検出手段（ＧＰＳ部１６やセンサ部１７）から取得していたがこれに限られず、例えば、他の装置やネットワーク上のサーバ（例えば、ＳＮＳ（Ｓｏｃｉａｌ  Ｎｅｔｗｏｒｋｉｎｇ  Ｓｅｒｖｉｃｅ）サービスが提供するサーバ）等から取得してもよい。また、実績ステータスは、ユーザが任意に入力できないもの（さらには、冗談でも騙されたくないもの）であればよく、例えば、ユーザ以外の他人や公証機関等の信用ある人やサイトや機関が証明した本人の行動を裏付けるものであればよい。この場合、所属する会社からであれば事実の額を提示できるため、年収を実績ステータスとすることができる。
【００６０】
また、上述の実施形態では、本発明が適用されるステータス照合システムＳにおいて情報処理装置の一実施形態であるリスト端末１は、スマートウォッチ等の時計装置を例として説明したが、特にこれに限定されない。
例えば、本発明は、ステータス照合処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００６１】
上述した一連の処理は、ハードウェアにより実行させることもできるし、ソフトウェアにより実行させることもできる。
換言すると、図３の機能的構成は例示に過ぎず、特に限定されない。即ち、上述した一連の処理を全体として実行できる機能がリスト端末１に備えられていれば足り、この機能を実現するためにどのような機能ブロックを用いるのかは特に図３の例に限定されない。
また、１つの機能ブロックは、ハードウェア単体で構成してもよいし、ソフトウェア単体で構成してもよいし、それらの組み合わせで構成してもよい。
【００６２】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００６３】
このようなプログラムを含む記録媒体は、ユーザにプログラムを提供するために装置本体とは別に配布される図２のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ  Ｄｉｓｃ（ブルーレイディスク）（登録商標）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や、図２の記憶部２０に含まれるハードディスク等で構成される。
【００６４】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段などより構成される全体的な装置を意味するものとする。
【００６５】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００６６】
以下に、本願の出願当初の特許請求の範囲に記載された発明を付記する。
［付記１］
複数の情報処理装置との間で互いに通信を行う通信システムにおいて、
前記情報処理装置の各々は、
所定のユーザの行動実績を取得する取得手段と、
前記取得手段により取得された前記ユーザの行動実績をマッチングの条件として設定する設定手段と、
通信可能な他の情報処理装置を特定する特定手段と、
前記特定手段により特定された他の情報処理装置のうち、前記設定手段により設定された前記条件に合致する他の情報処理装置を判定する判定手段と、
前記判定手段により判定された判定結果を出力するように出力手段を制御する出力制御手段と、
を備えることを特徴とする通信システム。
［付記２］
当該情報処理装置の動作状態を検出可能な検出手段を備え、
前記取得手段は、前記検出手段により検出された当該情報処理装置の動作状態の履歴を前記ユーザの行動実績として取得する、
ことを特徴とする付記１に記載の通信システム。
［付記３］
前記検出手段は、ランニング時に当該情報処理装置を携行した際の当該情報処理装置の動作状態を検出する、
ことを特徴とする付記２に記載の通信システム。
［付記４］
前記判定手段は、他の情報処理装置での条件が当該情報処理装置の条件と合致する場合にのみ、合致する他の情報処理装置とする判定結果とする、
ことを特徴とする付記１乃至３のいずれか１つに記載の通信システム。
［付記５］
前記出力制御手段は、前記判定手段により判定された判定結果にユーザのプロフィールを含めて出力するように出力手段を制御する、
ことを特徴とする付記１乃至４のいずれか１つに記載の通信システム。
［付記６］
前記出力制御手段は、前記合致する他の情報処理装置が通信可能な範囲にいる場合に、前記判定手段により判定された判定結果を出力するように前記出力手段を制御する、
ことを特徴とする付記１乃至５のいずれか１つに記載の通信システム。
［付記７］
前記情報処理装置は、リスト端末により構成される、
ことを特徴とする付記１乃至６のいずれか１つに記載の通信システム。
［付記８］
所定のユーザの行動実績を取得する取得手段と、
前記取得手段により取得された前記ユーザの行動実績をマッチングの条件として設定する設定手段と、
通信可能な他の情報処理装置を特定する特定手段と、
前記特定手段により特定された他の情報処理装置のうち、前記設定手段により設定された前記条件に合致する他の情報処理装置を判定する判定手段と、
前記判定手段により判定された判定結果を出力するように出力手段を制御する出力制御手段と、
を備えることを特徴とする情報処理装置。
［付記９］
複数の情報処理装置との間で互いに通信を行う通信システムで実行される通信方法において、
所定のユーザの行動実績を取得する取得ステップと、
前記取得ステップにより取得された前記ユーザの行動実績をマッチングの条件として設定する設定ステップと、
通信可能な他の情報処理装置を特定する特定ステップと、
前記特定ステップにより特定された他の情報処理装置のうち、前記設定ステップにより設定された前記条件に合致する他の情報処理装置を判定する判定ステップと、
前記判定ステップにより判定された判定結果を出力するように出力ステップを制御する出力制御ステップと、
を含むことを特徴とする通信方法。
【符号の説明】
【００６７】
１・・・リスト端末，１１・・・ＣＰＵ，１２・・・ＲＯＭ，１３・・・ＲＡＭ，１４・・・バス，１５・・・入出力インターフェース，１６・・・ＧＰＳ部，１７・・・センサ部，１８・・・入力部，１９・・・出力部，２０・・・記憶部，２１・・・通信部，２２・・・ドライブ，３１・・・リムーバブルメディア，５１・・・ステータス取得部，５２・・・ステータス設定部，５３・・・マッチング条件設定部，５４・・・通信制御部，５５・・・マッチング処理部，５６・・・記憶制御部，５７・・・出力制御部，７１・・・入力ステータス情報記憶部，７１・・・実績ステータス情報記憶部，７３・・・登録ステータス情報記憶部，Ｓ・・・ステータス照合処理システム
【図１】
2018136996.tif 000003
【図２】
2018136996.tif 000004
【図３】
2018136996.tif 000005
【図４】
2018136996.tif 000006
【図５】
2018136996.tif 000007
【手続補正書】
【提出日】平成30年6月18日(2018.6.18)
【手続補正１】
【補正対象書類名】明細書
【補正対象項目名】０００６
【補正方法】変更
【補正の内容】
【０００６】
上記目的を達成するため、本発明の一態様の情報処理装置は、所定のユーザの実績を取得する取得手段と、前記取得手段により取得された前記ユーザの実績をマッチングの条件として設定する設定手段と、通信可能な他の情報処理装置を特定する特定手段と、前記特定手段により特定された他の情報処理装置が、前記設定手段により設定された前記条件に合致するか否かを判定する判定手段と、前記判定手段により前記条件に合致すると判定された他の情報処理装置に、判定結果として前記条件の属する分類とは異なる分類に対応する前記ユーザの情報を出力するように出力手段を制御する出力制御手段と、を備えることを特徴とする。
【手続補正２】
【補正対象書類名】特許請求の範囲
【補正対象項目名】全文
【補正方法】変更
【補正の内容】
【特許請求の範囲】
【請求項１】
所定のユーザの実績を取得する取得手段と、
前記取得手段により取得された前記ユーザの実績をマッチングの条件として設定する設定手段と、
通信可能な他の情報処理装置を特定する特定手段と、
前記特定手段により特定された他の情報処理装置が、前記設定手段により設定された前記条件に合致するか否かを判定する判定手段と、
前記判定手段により前記条件に合致すると判定された他の情報処理装置に、判定結果として前記条件の属する分類とは異なる分類に対応する前記ユーザの情報を出力するように出力手段を制御する出力制御手段と、
を備えることを特徴とする情報処理装置。
【請求項２】
前記情報処理装置の動作状態を検出可能な検出手段を備え、
前記取得手段は、前記検出手段により検出された当該情報処理装置の所定の動作状態の履歴を前記ユーザの実績として取得する、
ことを特徴とする請求項１に記載の情報処理装置。
【請求項３】
前記検出手段は、ランニング時に当該情報処理装置を携行した際の当該情報処理装置の動作状態を検出する、
ことを特徴とする請求項２に記載の情報処理装置。
【請求項４】
前記判定手段は、他の情報処理装置での条件が当該情報処理装置の条件と合致する場合にのみ、合致する他の情報処理装置とする判定結果とする、
ことを特徴とする請求項１乃至３のいずれか１項に記載の情報処理装置。
【請求項５】
前記出力制御手段は、前記判定手段により判定された判定結果に前記ユーザのプロフィールを含めて出力するように出力手段を制御する、
ことを特徴とする請求項１乃至４のいずれか１項に記載の情報処理装置。
【請求項６】
前記出力制御手段は、前記合致する他の情報処理装置が通信可能な範囲にいる場合に、前記判定手段により判定された判定結果を出力するように前記出力手段を制御する、
ことを特徴とする請求項１乃至５のいずれか１項に記載の情報処理装置。
【請求項７】
前記情報処理装置は、リスト端末により構成される、
ことを特徴とする請求項１乃至６のいずれか１項に記載の情報処理装置。
【請求項８】
前記設定手段は、前記ユーザにより手動で入力される手動設定情報をさらに前記マッチングの条件として設定する、
ことを特徴とする請求項１乃至７のいずれか１項に記載の情報処理装置。
【請求項９】
前記設定手段は、前記取得手段により取得された前記ユーザの実績から抽出された条件をマッチングの条件として設定する、
ことを特徴とする請求項１乃至８のいずれか１項に記載の情報処理装置。
【請求項１０】
複数の情報処理装置との間で互いに通信を行う通信システムにおいて、
前記情報処理装置の各々は、
所定のユーザの実績を取得する取得手段と、
前記取得手段により取得された前記ユーザの実績をマッチングの条件として設定する設定手段と、
通信可能な他の情報処理装置を特定する特定手段と、
前記特定手段により特定された他の情報処理装置が、前記設定手段により設定された前記条件に合致するか否かを判定する判定手段と、
前記判定手段により前記条件に合致すると判定された他の情報処理装置に、判定結果として前記条件の属する分類とは異なる分類に対応する前記ユーザの情報を出力するように出力手段を制御する出力制御手段と、
を備えることを特徴とする通信システム。
【請求項１１】
複数の情報処理装置との間で互いに通信を行う通信システムで実行される通信方法において、
所定のユーザの実績を取得する取得ステップと、
前記取得ステップにより取得された前記ユーザの実績をマッチングの条件として設定する設定ステップと、
通信可能な他の情報処理装置を特定する特定ステップと、
前記特定ステップにより特定された他の情報処理装置が、前記設定ステップにより設定された前記条件に合致するか否かを判定する判定ステップと、
前記判定ステップにより前記条件に合致すると判定された他の情報処理装置に、判定結果として前記条件の属する分類とは異なる分類に対応する前記ユーザの情報を出力するように出力ステップを制御する出力制御ステップと、
を含むことを特徴とする通信方法。
【請求項１２】
情報処理装置で実行される情報処理の制御方法であって、
所定のユーザの実績を取得する取得ステップと、
前記取得ステップにより取得された前記ユーザの実績をマッチングの条件として設定する設定ステップと、
通信可能な他の情報処理装置を特定する特定ステップと、
前記特定ステップにより特定された他の情報処理装置が、前記設定ステップにより設定された前記条件に合致するか否かを判定する判定ステップと、
前記判定ステップにより判定された他の情報処理装置に、判定結果として前記条件の属する分類とは異なる分類に対応する前記ユーザの情報を出力するように前記情報処理装置を制御する出力制御ステップと、
を含むことを特徴とする情報処理装置の制御方法。
【請求項１３】
コンピュータに、
所定のユーザの実績を取得する取得機能と、
前記取得機能により取得された前記ユーザの実績をマッチングの条件として設定する設定機能と、
通信可能な他の情報処理装置を特定する特定機能と、
前記特定機能により特定された他の情報処理装置が、前記設定機能により設定された前記条件に合致するか否かを判定する判定機能と、
前記判定機能により前記条件に合致すると判定された他の情報処理装置に、判定結果として前記条件の属する分類とは異なる分類に対応する前記ユーザの情報を出力するように前記情報処理装置を制御する出力制御機能と、
を実現させるためのプログラム。